(57)【要約】      （修正有）【課題】記録媒体である円盤状としたディスクを対向する表カバーと裏カバーとを開いたときにディスクをカバーの面より浮き上がらせてディスクの取扱いを容易にする収納ケースを提供する。【解決手段】表カバー２と裏カバー３とが開閉可能とした収納ケース４を形成し、ディスクを保持する支持体には保持部６と支え部７とが山折れ線１１で連設し、その下端に折れ線を介して定着部８を設け、その折れ線を表カバーと裏カバーとの左右の内面に屈曲部５の縦線より対象となる角度で傾斜状態に配置し、それぞれの定着部を表カバーと裏カバーとの左右の内面に固定し、山折れ線を屈曲部と同じ延長面上となる縦方向に設け、保持部の面上で山折れ線と重ならない位置にディスクの丸孔と嵌合する突起状の係合部１３を設けて支持体を形成するディスク収納ケース。【選択図】図１
0003158139.tif 000002
【実用新案登録請求の範囲】
【請求項１】
記録媒体である円盤状のディスクを対向する表カバーと裏カバーとの間に収納する収納カバーにおいて、板状の表カバーと裏カバーとの各1辺に屈曲部を介して連結することで開閉可能とした収納ケースを形成し、ディスクを保持する支持体には保持部と支え部とが山折れ線を挟んで連設し、それぞれの下端に折れ線を介して定着部を設け、その折れ線を表カバーと裏カバーとの左右の内面に屈曲部の縦線より対象となる角度で傾斜している線に沿う状態に配置して保持部の定着部や支え部の定着部を表カバーと裏カバーとの左右の内面に固定し、保持部と支え部とを連設している山折れ線を表カバーと裏カバーとの屈曲部と同じ延長面上となる縦方向に設け、閉じたときには表カバーと裏カバーとの外側より保持部とディスクが飛び出ない状態として保持部の面上で山折れ線と重ならない位置にディスクの丸孔と嵌合する突起状の係合部を設けて支持体としたことを特徴とするディスク収納ケース。
【請求項２】
支持部と定着部とを連設している折れ線を屈曲部の縦線より対称状態に傾斜している折れ線を、傾斜と直角との組み合せの支持体としたことを特徴とする請求項１に記載のディスク収納ケース。
【請求項３】
二つの折れ線が交差する角部の頂点の向きを同じ方向にして複数の支持体の配列を縦列的な配置にして複数の支持体を設けたことを特徴とする請求項１に記載のディスク収納ケース。
【請求項４】
保持部と支え部とを屈曲部５縦線となる上下に分けた状態にするもので、その上下に分けた一方の保持部となる部分を保持部と保持側支え部とによって形成し、他方の支え部となる部分を支え部と第二支え部とによって形成し、一方側における保持部と保持側支え部との二本の折れ線が交差して角部を形成しているその頂点と他方側における支え部と第二支持部との二本の折れ線が交差して角部を形成しているその頂点とを向い合わせとなる状態とし、上下に分けたそれぞれの山折れ線を屈曲部と同じ延長面上となる縦方向に向い合わせの状態に設けることで一つの支持体１０としたことを特徴とする請求項１に記載のディスク収納ケース。
【考案の詳細な説明】
【技術分野】
【０００１】
この考案は、記録媒体である円盤状のディスクを対向する表カバーと裏カバーとの内面に収納されていて、その表カバーと裏カバーとを開くことで平らに収納されたディスクがケース内面より浮き上がった状態となるディスク収納ケースに関するものである。
【背景技術】
【０００２】
従来の記録媒体である円盤状のディスクを一対の面板の間に形成される収納空間に収納するもので、その収納空間にディスクの中心よりも低位置においてディスクの円盤状の少なくとも二箇所を支持する対をなす支持部を面板の開き動作に伴なって当該二箇所が互いに相寄る方向へ移動し得るように設け、その移動により平らに収納されたディスクがケース内面より浮き上がった状態となる特許文献１に示される考えがあった。
【先行技術文献】
【特許文献】
【０００３】
【特許文献１】特開２００５−２２７２６号公報
【考案の概要】
【考案が解決しようとする課題】
【０００４】
従来の特許文献１に示す収納ケースにおいては、ディスクの円盤状の少なくとも二箇所を支持する対をなす支持部が互いに相寄る方向へ移動し得るように設けているが、その平板状である支持部の向き合う先端ではディスクを保持するのにはその挟む力が弱く外れる心配が有り、また、支持部の立ち上がりの腕が板状のままで支えるものが無いために横倒れする欠点があった。
【０００５】
本考案は上述した欠点を解決するためになされたもので、支持部の立ち上がりの腕が板状のために横倒れの欠点を無くすもで、その支持部を平板状の保持部と支え部とを山折れ線を介して連設したものに変え、その保持部と支え部との連設に角度を設けて固定することによって横倒れする欠点を無くすもである。
【課題を解決するための手段】
【０００６】
本考案は、板状の記録媒体である円盤状としたディスク１を対向する表カバー２と裏カバー３との間に収納する収納ケース４において、板状の表カバー２と裏カバー３との対向する1辺が屈曲部５を介して連結させているものであって、表カバー２と裏カバー３とが開閉可能とした本の表紙のようになる収納ケース４を形成しているものである。
【０００７】
そして、保持部６と支え部７とをそれぞれの下端に折れ線９を介して定着部８を設けているもので、その折れ線９を屈曲部５の縦線より表カバー２と裏カバー３との左右の内面に対象となる角度で傾斜している状態に設けて、定着部８を固定することによって収納ケース４に支持体１０を設けているものとしている。
【０００８】
それから、支持体１０においては、その保持部６と支え部７とを山折れ線１１で連結することで山折れ線１１を屈曲部５と同じ延長面上となる縦方向に設け、閉じたときの表カバー２と裏カバー３との外側の縁より保持部６とディスク１が飛び出ない状態とするものであって、保持部６の面上には山折れ線１１と重ならない位置においてディスク１の丸孔１２と嵌合する突起状の係合部１３とを設けたものとしている。
【０００９】
また、保持部６と支え部７とが連設している山折れ線１１を屈曲部５の縦線より対称となって傾斜状態している折れ線９とは異なる組み合せが考えられるものであって、その折れ線９は傾斜と直角との組み合せによる折れ線９とした保持部６と支え部７とによる支持体１０として設ける手段も考えられる。
【００１０】
その他には、表カバー２と裏カバー３との間に屈曲部５を介して中間カバー１９を設けることによって三枚開きすることが考えられるもので、二つの支持体１０を表カバー２と裏カバー３とに離して設け、左右の支え部７の定着部８を中間カバー１９側に固定し、左右の保持部６は中間カバー１９を挟んだ表カバー２と裏カバー３との内面に左右対称状態に配置することが考えられる。
【００１１】
その他の考えとしては、二つの支持体１０を屈曲部５の縦線の上において、保持部６と支え部７との二つの折れ線９が交差して角部１４を形成しているその頂点を屈曲部５と同じ延長面上となる縦方向に向けて複数の支持体１０の配列を縦列状態に並べた状態として二つの支持体１０を設ける手段が考えられるものである。
【００１２】
更に、保持部６と支え部７とを屈曲部５の縦線となる上下に分けた状態にするものが考えられるもので、その上下に分けた一方の保持部６となる部分を保持部６と保持側支え部２０とによって形成し、他方の支え部７となる部分を支え部７と第二支え部２１とによって形成するものであって、一方側における保持部６と保持側支え部２０との二本の折れ線９が交差して角部１４を形成しているその頂点と他方側における支え部７と第二支持部２１との二本の折れ線９が交差して角部１４を形成しているその頂点とを向い合わせとなる状態とし、上下に分けたそれぞれの山折れ線１１を屈曲部５と同じ延長面上となる縦方向に向い合わせの状態に設けることで一つの支持体１０として形成することが考えられるものである。
【００１３】
そして、保持部６と保持側支え部２３とが山折れ線１１を介して連設している保持部６と保持側支え部２３との保持部６の上辺には水平状態の横向山折り線１５を介して上部保持部１６を設け、支え部７と第二支持部２４とが山折れ線１１を介して連設している支え部７の上辺にも水平状態の横向山折り線１５を介して上部支え部１７を設けるもので、その保持部６と支え部７とを互い違いに向き合せ状態にし、その上部支え部１７の上辺と上部保持部１６とを上部支え部１７とを連結した状態として形成するものとしている。
【００１４】
そして、この山折れ線１１で区切られた保持部６と山折れ線１１で区切られた支え部７との二つの部分を向い合わせの状態としてお互いの定着部８を内側に向けて固定するときには、その対向している定着部８を連結した一枚の共有定着部１８とすることが考えられるもので、一枚の板状によって支持体１０を形成することが出来るものでる。
【００１５】
その保持部６の横向山折り線１５を介して連設する上部保持部１６の表面上には、ディスク１の丸孔１２と嵌合する突起状の係合部１３を設けた保持体６としてディスク１を表カバー２と裏カバー３との間に保持できるディスク１の収納ケース４として形成するものとしている。
【００１６】
本考案の表カバー２と裏カバー３、それに中間カバーとを二枚重ねとして、その二枚重ねの間となる袋状の空間をディスク１の収納場所とすることが考えられ、二枚重ねの上辺や左右の辺に開口部２３を形成することが考えられるものである。
【００１７】
本考案は上記の如き構成によるもので、定着部８は保持部６と支え部７との曲げ倒し側とは反対方向に固定しているもので、この固定はカバーを閉じたときに支持体１０が厚みを作ったり、折れ線９の破損を防いだりする方法であって一般的な考えであり、構造的に表カバー２と裏カバー３とを開閉することで各種の折れ曲り部分がそれぞれに関連して同時に動くことによってディスク１が浮き上がったり収納したりすることが可能としているものである。
【考案の効果】
【００１８】
本考案に関するディスク収納ケースにおいては、表カバー２と裏カバー３とを開閉することで各種の折れ曲り部分がそれぞれに関連して同時に動くことによって、ディスク１が浮き上がるものとしていることでディスク１の取扱いが容易にできるものである。
【００１９】
また、ディスク１を収納するときにおいても、ディスク１の丸孔１２と保持部６に設けている嵌合する係合部１３とでディスク１を安定状態に保持するので外れる心配が無く、更に保持部６と支え部７とが角度を持って立ち上るので安定性が良く保持部６の横倒れに関しても心配がないものである。
【００２０】
また、ディスク１が収納ケース４の面より浮き上がつてディスク１はここに有るぞと存在感と驚きを与えるものであり、保持されたディスク１とに関連する装飾や宣伝を表示する表表紙と裏表紙や内面の空き面を広く利用することが可能としている利点がある。
【図面の簡単な説明】
【００２１】
【図１】本考案に係わる実施例１を示す斜視図である。
【図２】実施例１における展開した支持体を示す平面図である。
【図３】折れ線を傾斜と直角とによる展開した支持体を示す正面図である。
【図４】中間カバーを設けた展開した支持体を示す正面図ある。
【図５】二つの支持体を縦列状態に設けた展開した支持体を示す正面図ある。
【図６】保持部と支え部とを屈曲部の上下に設けた展開した支持体を示す正面図ある。
【考案を実施するための形態】
【００２２】
以下、実施例を図面にもとづいて説明する。
【実施例１】
【００２３】
本考案に係わる実施例の一つとしては、図１と図２とに示すように、厚紙からなる板状の記録媒体である円盤状のディスク１を対向する表カバー２と裏カバー３との間に収納する収納ケース４において、板状の表カバー２と裏カバー３との各1辺には屈曲部を介して連結しているもので開閉可能とした収納ケース４を形成しているものである。
【００２４】
そして、その屈曲部５の縦線より表カバー２と裏カバー３との左右の内面に対象となる角度で傾斜している線に沿う状態にした保持部６と支え部７との折れ線９を合わせて定着部８を固定し、その保持部６と支え部７とを連設している山折れ線１１を表カバー２と裏カバー３とを連設している屈曲部５と同じ延長面上になる縦方向に設け、閉じたときに表カバー２と裏カバー３との外側より保持部６とディスク１が飛び出ない状態としているものである。
【００２５】
それに、その保持部６の面上には山折れ線１１と重ならない位置にディスクの丸孔１２と嵌合する突起状で弾性や摩擦抵抗のある係合部１３を設けて保持体６を形成している収納ケース４としている。
【００２６】
この収納ケース４の表カバー２と裏カバー３とを開くときには、各部所に設けている折れ線９と山折れ線１１とが凹や凸に折れ曲がることでディスク１が収納ケース４の面より立ち上がつてディスク１はここに有るぞと存在感と驚きを与えるものであり、収納ケース４からのディスク１の取扱いや取出しが容易となるものとしている。
【００２７】
この表カバー２と裏カバー３とを二枚重ねとして、その二枚重ねの間となる袋状の空間をディスク１の収納場所とすることが考えられ、二枚重ねの上辺や左右の両辺に開口部２３を形成することが出来るものであって、上辺の開口部２３を傾斜状態としても二枚重ねの間となる袋状の空間を収納場所として使用することが出来るものである。
【実施例２】
【００２８】
他の実施例２としては、図３に示すように、保持部６や支え部７とにおいて定着部８を連設している折れ線９を屈曲部５の縦線より対称とした傾斜状態に配置する位置を、傾斜状態と直角との組み合せの支持体１０とすることが考えられ、その直線となる折れ線９は裏カバー３の内面における下辺寄りでその下辺と並ぶように長さのある定着部８を設けることが出来るものであり、支え部７においては小さめとした支え部７の折れ線９を保持部６の下端より表カバー２の内面に傾斜状態として定着部８を固定するものである。
【００２９】
この表カバー２の内面に設ける支え部７は小さめとしているので、表カバー２の内面に空き面が広くなるのでその空き面の利用が様々に考えられて宣伝や装飾を設けることに有利であり、この傾斜状態と直角との組み合せにおける表カバー２と裏カバー３に対しても二枚重ねとして袋状の空間を収納場所として形成することが出来るものである。
【００３０】
その他には、図４に示すように、表カバー２と裏カバー３との間に屈曲部５を介して中間カバー１９を設けることによって三枚開のカバーとすることが考えられるもので、それは二つの支持体１０を表カバー２と裏カバー３とに離して設け、左右の支え部７の定着部８を中間カバー１９側に固定し、左右の保持部６は中間カバー２１を挟んだ表カバー２と裏カバー３との内面に左右対称状態に配置することが考えられて、その中間カバー１９の内面に空き面が広く形成されるので装飾や広告宣伝等に使用することが出来、三枚開きとした各カバーを二枚重ねとして袋状の空間を収納場所として形成することも出来るものである。
【００３１】
そして、この中間カバー１９を中心にして表カバー２と裏カバー３とを左右より折り重ねるときに、その折り重ねを円滑な操作にできるための工夫として屈曲部５を二本の線などによる厚さの有る屈曲部５にすることや、最初に折り重ねるカバーの下側の角部分を切り欠いて他方の定着部８との重なりを避けるものにする工夫も考えられる。
【実施例３】
【００３２】
その他の実施例３としては、図５に示すように、二つの支持体１０を屈曲部５の縦線の上において、保持部６と支え部７との二つの折れ線９が交差して角部１４を形成しているその頂点を屈曲部５と同じ延長面上となる縦方向に向けて、複数の支持体１０の配列を縦列状態に並べた状態として二つの支持体１０を一つの収納ケース４に設ける方法が考えられるものである
【００３３】
そして、この縦方向に向けて直列状態に並べるときに、二つの支持体１０の保持部６と支え部７との前後の並びを、保持部６と支え部７とが同じ向きとして縦並びに重なり合う状態と二つの支持体１０の保持部６と支え部７とが同じ向きでない互い違いの縦並びに重なり合う状態とにする並べ方とが考えられ、保持部６と支え部７とが同じ向きでない互い違いの縦並びに重なり合う状態とするものは重なったディスク１のタイトルが見易くなる並べ方となるものである。
【実施例４】
【００３４】
支持体１０として考えられるものとしては二つの支持体１０を屈曲部５の縦線となる上下に分けた感じとなる状態にするもので、保持部６と支え部７とのそれぞれの折れ線９が交差して角部１４を形成しているその頂点が向い合わせとなる状態としているもので、一方の支持体１０の山折れ線１１を介して連設している保持部６と支え部７とを保持部６と保持側支え部２０とに替え、他方の支持体１０においては山折れ線１１を介して連設している保持部６と支え部７とを支え部７と第二支え部２１とに替えたものが考えられる。
【００３５】
そして、山折れ線１１で区切られたの保持部６上辺には水平状態の横向山折り線１５を介して上部保持部１６を設け、山折れ線１１で区切られた支え部７の上辺にも水平状態の横向山折り線１５を介して上部支え部１７を設けるもので、それぞれの横向山折り線１５を互い違いに向き合うようにして、その上部支え部１７の上辺と上部保持部１６とを連結した支持体１０として形成することが考えられる。
【００３６】
また、上部保持部１６の外周となる上半分の部分を、図６に示すように、折れ線９を介して折返し状態とした上部支え部１７を形成し、その下向きになる上部支え部１７の先端と支え部７の折れ線９を介して連設しているつなぎ部２２とを連結することで支持体１０を形成することも考えられる。
【００３７】
それから、お互いの定着部８を内側に向けて固定するときには、その対向している定着部８を連結した一枚の共有定着部１８とすることが考えられるものであって、その共有定着部１８を設けることによって保持部６と支え部７とを向い合わせの状態としたものが一枚の板状のものによって形成することが可能となるるものである。
【００３８】
この実施例４における保持部６の横向山折り線１５を介して連設する上部保持部１６の面上には、ディスク１の丸孔１２と嵌合する突起状の係合部１３を設けた保持体６としてディスク１を表カバー２と裏カバー３との間に保持できる収納ケース４として形成しているものとしている。
【００３９】
本考案の各種のカバーにおいては二枚重ねとして、その二枚重ねの間となる袋状の空間をディスク１の収納場所とすることが考えられ、二枚重ねの上辺や外側となる側辺に開口部２３を形成することが出来るものであって、上辺の開口部２３を傾斜状態としても二枚重ねの間となる袋状の空間を収納場所としてその二枚重ねの間となる袋状の空間をディスク１の収納場所とすることが考えられ、二枚重ねの左右の辺に開口部２３を形成して筒状とすることも考えられるものである。
【００４０】
本考案におけるディスク収納ケースの素材は、厚紙である紙類の他にエコ紙や合成樹脂類等を使用する他に、ディスク１の丸孔１２と嵌合する突起状の係合部１３を弾性や摩擦抵抗のある素材することが考えられるものである。
【符号の説明】
【００４１】
１  ディスク
２  表カバー
３  裏カバー
４  収納ケース
５  屈曲部
６  保持部
７  支え部
８  定着部
９  折れ線
１０  支持体
１１  山折り線
１２  丸孔
１３  係合部
１４  角部
１５  横向き山折れ線
１６  上部保持部
１７  上部支え部
１８  共有定着部
１９  中間カバー
２０  保持側支え部
２１  第二支え部
２２  つなぎ部
２３  開口部
【図１】
0003158139.tif 000003
【図２】
0003158139.tif 000004
【図３】
0003158139.tif 000005
【図４】
0003158139.tif 000006
【図５】
0003158139.tif 000007
【図６】
0003158139.tif 000008
【手続補正書】
【提出日】平成21年12月25日(2009.12.25)
【手続補正１】
【補正対象書類名】明細書
【補正対象項目名】００３５
【補正方法】変更
【補正の内容】
【００３５】
そして、山折れ線１１で区切られた保持部６上辺には水平状態の横向山折り線１５を介して上部保持部１６を設け、山折れ線１１で区切られた支え部７の上辺にも水平状態の横向山折り線１５を介して上部支え部１７を設けるもので、それぞれの横向山折り線１５を互い違いに向き合うようにして、その上部支え部１７の上辺と上部保持部１６とを連結した支持体１０として形成することが考えられる。
【手続補正２】
【補正対象書類名】明細書
【補正対象項目名】００３７
【補正方法】変更
【補正の内容】
【００３７】
それから、お互いの定着部８を内側に向けて固定するときには、その対向している定着部８を連結した一枚の共有定着部１８とすることが考えられるものであって、その共有定着部１８を設けることによって保持部６と支え部７とを向い合わせの状態としたものが一枚の板状のものによって形成することが可能となるものである。